(57)【要約】      （修正有）【課題】ビニール袋で飲料用液体を供給し、ニードルを用いてビニール袋に孔を開ける構造のウォーターサーバーにおいて、ビニール袋に孔を開けた時にビニール袋内の飲料用液体の漏れを防止するリングを提供する。【解決手段】ビニール袋で飲料用液体を供給し、ニードルを用いてビニール袋に孔を開ける構造のウォーターサーバーにおいて、前記ビニール袋に取り付けられ、前記ニードルが挿入されるリング１であって、ウォーターサーバーのニードルの外周面と接する円筒形の側面２と、前記ビニール袋への取り付け面を有する第１鍔部３からなり、前記円筒形の側面の外周面には、前記第１鍔部と平行に、第２鍔部４が設けられており、前記円筒形の側面によって形成される開口に、前記ニードルが挿入されると前記ビニール袋に孔が開けられる。【選択図】図１
0003166386.tif 000002
【実用新案登録請求の範囲】
【請求項１】
ビニール袋で飲料用液体を供給し、ニードルを用いてビニール袋に孔を開ける構造のウォーターサーバーにおいて、前記ビニール袋に取り付けられ、前記ニードルが挿入されるリングであって、
ウォーターサーバーのニードルの外周面と接する円筒形の側面と、前記ビニール袋への取り付け面を有する第１鍔部からなり、前記円筒形の側面の外周面には、前記第１鍔部と平行に、第２鍔部が設けられており、前記円筒形の側面によって形成される開口に、前記ニードルが挿入されると前記ビニール袋に孔が開けられることを特徴とするリング。
【請求項２】
前記開口を塞ぐ蓋を備えることを特徴とする請求項１に記載のリング。
【考案の詳細な説明】
【技術分野】
【０００１】
本考案は、ウォーターサーバーに用いる、飲料用液体を入れたビニール袋に取り付けられ、ウォーターサーバーのニードルが挿入されるリングに関する。
【背景技術】
【０００２】
従来のウォーターサーバーは、ボトルに飲料用液体、例えば飲料水を入れて、ウォーターサーバーの利用者に配布し、利用者は飲料水の入ったボトルをウォーターサーバーの上部にセットする。そして、水を飲む時にウォーターサーバーのスイッチを押すと、飲料水が供給されるという装置であった。このようなものとしては、特許文献１に記載されているものがある。
【０００３】
ボトルの代わりにビニール袋を用いたウォーターサーバー（特許文献２参照）も存在する。特許文献２に記載のウォーターサーバーでは、スパイクを用いてビニール袋に孔を開けて、飲料水をビニール袋からウォーターサーバーへと供給する構造が用いられている。
【先行技術文献】
【特許文献】
【０００４】
【特許文献１】特開２００７−２１０６６７号公報
【特許文献２】特開２０１０−１４３６３０号公報
【考案の概要】
【考案が解決しようとする課題】
【０００５】
しかしながら、スパイクを用いて直接ビニール袋に孔を開ける場合、ビニール袋の孔が裂けてビニール袋内の飲料用液体が漏れてしまう可能性がある。漏れを防止するためには、ビニール袋の材質をニードルに纏わりつくような材質を用いる方法がある。しかしながら、この場合、ビニール袋の製造コストが増加すると言う問題がある。
【０００６】
そこで、本考案は前記問題を解決するために、ビニール袋で飲料用液体を供給し、ニードル（スパイク）を用いてビニール袋に孔を開ける構造のウォーターサーバーにおいて、ビニール袋に孔を開けた時にビニール袋内の飲料用液体の漏れを防止するリングを提供することを目的とする。
【課題を解決するための手段】
【０００７】
本考案のリングは、ビニール袋で飲料用液体を供給し、ニードルを用いてビニール袋に孔を開ける構造のウォーターサーバーにおいて、前記ビニール袋に取り付けられ、前記ニードルが挿入されるリングであって、ウォーターサーバーのニードルの外周面と接する円筒形の側面と、前記ビニール袋への取り付け面を有する第１鍔部からなり、前記円筒形の側面の外周面には、前記第１鍔部と平行に、第２鍔部が設けられており、前記円筒形の側面によって形成される開口に、前記ニードルが挿入されると前記ビニール袋に孔が開けられることを特徴とする。
【考案の効果】
【０００８】
本考案のリングは、ビニール袋で飲料用液体を供給し、ニードルを用いてビニール袋に孔を開ける構造のウォーターサーバーにおいて、前記ビニール袋に取り付けられ、前記ニードルが挿入されるリングであって、ウォーターサーバーのニードルの外周面と接する円筒形の側面と、前記ビニール袋への取り付け面を有する第１鍔部からなり、前記円筒形の側面の外周面には、前記第１鍔部と平行に、第２鍔部が設けられており、前記円筒形の側面によって形成される開口に、前記ニードルが挿入されると前記ビニール袋に孔が開けられることにより、前記リングと前記ニードルが密着した状態でビニール袋内の飲料用液体がニードルを通じてウォーターサーバーに供給されるので、前記孔からビニール袋の飲料用液体が漏れるのを防ぐことが可能となる。
【図面の簡単な説明】
【０００９】
【図１】（ａ）が本考案のリングの平面図であり、（ｂ）が本考案のリングの側面図と断面図を組み合わせた図である。
【図２】リングを取り付けた、飲料用液体の入ったビニール袋を、ウォーターサーバーにセットする手順を示す概略図である。
【図３】リングを取り付けた、飲料用液体の入ったビニール袋を、ウォーターサーバーにセットする手順を示す概略図であり、図２の続きを示したものである。
【図４】フィルム状蓋体を用いた場合のリングの側面図と断面図を組み合わせた図である。
【考案を実施するための形態】
【００１０】
本考案を、図を用いて以下に詳細に説明する。図１が本考案のリング１の平面図と側面図である。また、図２、３にウォーターサーバーにビニール袋１０をセットする時の概略図を示している。
【００１１】
本考案のリング１は、ビニール袋１０で飲料用液体を供給し、ニードル１１を用いてビニール袋１０に孔を開け、前記ビニール袋１０内に挿入された前記ニードルを通じて飲料用液体をウォーターサーバー本体へと供給する構造のウォーターサーバーにおいて、前記ビニール袋１０の前記ニードル１１で孔を開ける部分に取り付けられ、前記ニードル１１が挿入されるものであり、リング１に挿入されたニードル１１の先端がビニール袋１０に孔を開け、前記ニードルの先端部分に設けられた孔と、内部に設けられた通路を通じて、ビニール袋１０内の飲料用液体がウォーターサーバーへと供給される。
【００１２】
前記リング１は、図１に示すように、ウォーターサーバーのニードル１１の外周面と接する円筒形の側面２と、前記ビニール袋１０への取り付け面を有する第１鍔部３からなり、前記円筒形の側面２によって飲料用液体の通路となる開口が形成される。さらに、前記円筒形の側面２の外周面には、前記第１鍔部３と平行に、第２鍔部４が設けられている。前記第１鍔部３と前記第２鍔部４との間には溝５が形成されており、前記溝５を用いて前記リング１はウォーターサーバーに固定される。
【００１３】
さらに、前記リング１には、前記開口を塞ぐための蓋として開閉可能なキャップ６が設けられており、前記キャップ６は前記円筒形の側面２の外周面に設けられた凸部７と係合することで、取り外し可能に前記円筒形の側面２に取り付けられる。また、前記キャップ６には取り外し操作を容易にするための取っ手８を設けてある。前記ビニール袋１０に飲料用液体を入れた状態で利用者に配布する際に前記キャップ６を取り付けることにより、リング１の内周面が汚れたり、リング１の開口内にゴミが入るのを防ぐことができる。
【００１４】
前記リング１は、前記第１鍔部３が前記ビニール袋１０に接着剤等を用いて接合されることで、ビニール袋１０に固定される。そのために、前記第１鍔部３は、所定の接合強度を得るために、取付面を確保する大きさの環状の鍔形状に形成されており、前記第２鍔部４はウォーターサーバーへの固定に用いられるものであり、前記第１鍔部３よりも小さい環状の鍔形状に形成されている。
【００１５】
前記リング１は全て樹脂によって形成され、キャップ６を除いて一体成形されており、同じく樹脂で形成されたニードル１１が挿入された時に、前記円筒形の側面２は前記ニードル１１の外周面と密着する大きさに形成されている。前記ニードル１１は先端が尖った形状であり、前記リング１に挿入されていくとある箇所で前記リング１と密着することとなり、これにより、前記ニードル１１によってビニール袋１０に孔が開けられた後、ビニール袋１０内の飲料用液体が孔から漏れることなくニードル１１へと流出することが可能となる。この時に、前記リング１と前記ニードル１１が共に樹脂で形成されていると、密着度が高くなり漏れ防止の効果が高くなる。
【００１６】
次に、前記リング１の使用状態について説明する。飲料用液体の入ったビニール袋１０にリング１を取り付け、キャップ６を被せた状態で、ウォーターサーバーの利用者に、飲料用液体の入ったビニール袋１０が配達される。利用者はビニール袋１０をウォーターサーバーにセットする時に、まずは前記キャップ６を取り外す。
【００１７】
次に、前記ビニール袋１０を、図２（ａ）に示すようなウォーターサーバーの受台１３にセットする。図２，３では、ウォーターサーバーは、受台１２とニードル１１以外は省略した状態で記載している。前記受台１３には、図２（ａ）に示すような、大きな円と小さな円を組み合わせた形状の穴１２が設けられている。そして、前記受台１３の下にニードル１１が配置されており、前記ニードル１１は前記穴１２の小さな円の下方に位置している。前記ビニール袋１０をセットする際に、初めに前記穴１２の大きな円の部分に前記リング１を上から挿入する。
【００１８】
この時、図２（ｂ）に示すように、前記リング１は前記穴１２の縁の部分と係合しない状態で配置されており、前記ニードル１１と前記リング１とは上下に重なった位置ではなく、ずれた状態となっている。そこで、前記ニードル１１の上方に配置し、同時に前記リング１を前記穴１２と係合させて固定するために、前記リング１を、前記穴１２の大きな円の部分から小さな円の部分へとスライドさせる。この時、前記リング１の第１鍔部３は前記受台の上方に、第２鍔部４は受台の下方となるようにセットしておく。
【００１９】
これにより、前記穴１２の小さな円の部分の縁が前記リング１の溝５へと挿入され、図３（ａ）に示すように、前記リング１が前記受台１３に固定され、前記ビニール袋１０が所定の位置にセットされる。前記リング１を前記穴１２の小さな円の部分に固定するために、前記穴１２の小さな円の大きさは、前記リングの円筒形の側面の外周とほぼ同じ大きさとなっている。また、前記穴１２の小さな円の中心が、前記ニードル１１の先端と一直線上に配置されているので、前記穴１２の小さな円の部分に前記リング１が係合されると、前記リング１の中心と前記ニードル１１の先端と一直線上に配置されるので、前記リング１の位置決めを確実に行うことができる。
【００２０】
このようにして、前記リング１を前記穴１２の小さな円にセットすると、図３（ａ）に示すように、前記リング１の下方に前記ニードル１１が位置する状態となる。このようにして、所定の位置に前記ビニール袋１０をセットしたら、前記ニードル１１を上方へとスライドさせて前記リング１の開口へと挿入する。このために、ここで使用するニードル１１は上下にスライド操作が可能な構造を用いている。前記ニードル１１が上方へとスライドされると、前記ニードル１１の先端が、前記ビニール袋１０の前記リング１の開口内に位置する部分を破って孔を開ける。そして、図３（ｂ）に示すように、前記ニードル１１の孔の開いた先端部分が前記ビニール袋１０内へと挿入され、前記ニードル１１の外周面が前記リング１の側面２の内周面と密着すると、前記ニードル１１のスライド動作が終了する。
【００２１】
図３（ｂ）に示すような状態になると、ウォーターサーバーへのビニール袋１０のセットが完了し、前記ニードル１１に設けられた孔および内部の通路を通じて、前記ビニール袋１０内の飲料用液体がウォーターサーバー本体へと供給され、ウォーターサーバーを使用できる状態となる。
【００２２】
前記ビニール袋１０内の飲料用液体がニードル１１を通じて供給されている間も、前記リング１と前記ニードル１１が密着していることにより、前記ニードル１１によって開けられたビニール袋１０の孔から、ビニール袋１０内の飲料用液体が隙間から漏れるのを防止することができる。
【００２３】
ここでは、ニードル１１を上下にスライドさせる構造のウォーターサーバーを用いて説明したが、ニードル１１が固定された構造で、ニードル１１の上からビニール袋１０を押し付けて、前記リング１内へと前記ニードル１１を挿入することも可能である。
【００２４】
また、前記蓋としてキャップ６を用いて説明してきたが、その他に、図４に示すように、ヒートシール可能なフィルム状蓋体１４を蓋として用いることができる。前記フィルム状蓋体１４は円形であり、ヒートシールにより、前記円筒形の側面２の上端部に周囲が固定されることにより、前記開口を塞ぐ。このようなフィルム状蓋体１４を用いることにより、リング１内を完全に密閉することが可能となり、細菌等がリング１の内側に浸入して付着するのを防ぐことができる。
【００２５】
このように本考案のリング１を用いることで、ビニール袋１０にニードル１１で孔を開ける構造のウォーターサーバーにおいて、ビニール袋１０の材質に関係なく、ビニール袋１０に開けた孔から飲料用液体が漏れるのを防止することが可能となる。
【符号の説明】
【００２６】
１    リング
２    円筒形の側面
３    第１鍔部
４    第２鍔部
５    溝
６    キャップ
７    凸部
８    取っ手
１０  ビニール袋
１１  ニードル
１２  穴
１３  受台
１４  フィルム状蓋体
【図１】
0003166386.tif 000003
【図２】
0003166386.tif 000004
【図３】
0003166386.tif 000005
【図４】
0003166386.tif 000006